(57)【要約】【課題】半身麻痺している身障者が自ら自分の自由側の手と不自由側の手を使って爪を研磨することができるようにすることが目的であって、介護補助者の協力により身障者の自由側の手の親指と不自由側の手首から手の甲に掛けて装着してもらって自ら自分の全ての指の爪を研磨することを可能とする。【解決手段】爪を研磨する紙やすり１を設けた台部２と、台部には指又は腕首を嵌める穴を有するものであって、該台部の穴に開口部５，６を有し、開口部のある台部には面ファスナー３を設けて、指又は手首の周りに前記の台部２を装着して爪を紙やすりで研磨することができるようにし、自由側の親指に装着するものと不自由側の腕首に装着するものを組み合わせて使用することを特徴とする身障者用爪研ぎ。【選択図】図１
0003127020.tif 000002
【実用新案登録請求の範囲】
【請求項１】
爪を研磨する紙やすりを設けた台部と、台部には指又は腕首を嵌める穴を有するものであって、該台部の穴に開口部を有し、開口部のある台部には面ファスナーを設けて、指又は手首の周りに前記の台部を装着して爪を紙やすりで研磨することができるようにし、自由側の親指に装着するものと不自由側の腕首に装着するものを組み合わせて使用することを特徴とする身障者用爪研ぎ。
【請求項２】
台部は親指に嵌める穴を有するものであって、その穴の先端は開口して親指の先端が露出する親指先露出窓を設けたことを特徴とする請求項１に記載の身障者用爪研ぎ。
【請求項３】
台部は腕首に嵌める穴を有するものであって、その穴の先端は開口して手首から指先まで露出されることを特徴とする請求項１に記載の身障者用爪研ぎ。
【請求項４】
爪を研磨する紙やすりを設けた台部はウレタン樹脂で製作されたことを特徴とする請求項１乃至３のいづれかに記載の身障者用爪研ぎ。
【考案の詳細な説明】
【技術分野】
【０００１】
本考案は、親指用又は手首用の台部に穴を設け、台部の表面に爪を研磨する紙やすりを設けた爪研ぎであって、実施例１は該台部を自由側の親指に装着して不自由側の手の爪を研磨することを目的とし、実施例２は不自由側の手首から手の甲の範囲に装着して自由側の手の爪を研磨することを目的とする。又本考案は、半身麻痺を有する身障者の機能回復を図る道具であって、紙やすりで身障者が自分で爪を研磨するのに容易な身障者用爪研ぎに関するものである。
【背景技術】
【０００２】
爪研機に関連して、特許文献１〜２などにおいては、電動式爪研機である。特許文献３においては、卓上爪やすりである。これら１〜３の文献上に記載のある爪研ぎは健常者用として開発されている。半身に麻痺が有る身障者にとっては、すべての指の研磨をする場合に介護補助者の協力により研磨してもらうことに成らざるを得ないので、従来製品は身障者自らの機能回復のために使えないという問題があった。
【０００３】
しかし、半身麻痺している身障者にとっては、介護補助者の協力を得つつ自ら全ての指の爪を研磨することにより脳の運動機能回復をすることが可能であることが考えられる。このような問題を解決するために提供される。
【０００４】
前記のように特許文献１〜３の文献に記載の或る爪研機は、いづれのものも半身麻痺のある身障者は全ての指を完全に研磨することができない問題があった。
【０００５】
従来の電動式爪研機及び卓上爪やすりに関して、特許文献１〜３を示す。
【特許文献１】実開平６−３０５号公報
【特許文献２】特開２００１−０３７５３８号公報
【特許文献３】特開２００４−１１３７４０号公報
【考案の開示】
【考案が解決しようとする課題】
【０００６】
解決しようとする問題点は、半身麻痺している身障者が自ら自分の自由側の手と不自由側の手を使って爪を研磨することができるようにすることが目的であって、半身麻痺している場合は自由側の手と不自由側の手を共に使って、介護補助者の協力により身障者の自由側の手の親指と不自由側の手首から手の甲に掛けて装着してもらって自ら自分の全ての指の爪を研磨することを可能とする身障者用爪研ぎを得る。
【課題を解決するための手段】
【０００７】
本考案は、上記の目的を達成するため爪を研磨する紙やすりを設けた台部と、台部には指又は腕首を嵌める穴を有するものであって、該台部の穴に開口部を有し、開口部のある台部には面ファスナーを設けて、自由側の親指に装着又は不自由側の手首に装着する二種類の爪研ぎを組み合わせてなることを主要な特徴とする。
指又は手首の周りに前記の台部を装着して爪を紙やすりで研磨することができるようにしたものである。
台部は親指に嵌める穴を有するものであって、その穴の先端は開口して親指の先端が露出する親指露出窓を設けた身障者用爪研ぎと、台部は腕首に嵌める穴を有するものであって、その穴の先端は開口して手首から指先まで露出される身障者用爪研ぎを組み合わせて、前者は自由側の親指に装着し、後者は不自由側の腕首に装着して、半身麻痺を有する身障者が指の機能回復を図るために使用するものである。
【考案の効果】
【０００８】
本考案の身障者用爪研ぎは、身障者が半身麻痺している場合に自由側の手の親指に装着する実施例１と不自由側の手の手首に装着する実施例２とを用いて、身障者は自らの自由側の手と不自由側の手の全ての指の爪を研磨することが容易である。
【考案を実施するための最良の形態】
【０００９】
半身麻痺が有る身障者が、介護補助者の協力を得て自分でもできる手指の機能回復を図り、自由側、不自由側の両手の全ての指の爪を研磨する目的を、自由側の親指に装着する爪研ぎ（実施例１）を自由側の親指に装着してもらい、不自由側の手首から手の甲にかけて装着する爪研ぎ（実施例２）を不自由側の手首に装着してもらい、自分で両手全ての指の研磨をすることで実現した。
【実施例１】
【００１０】
実施例１は、自由側の手の親指に装着するために開発された身障者用爪研ぎである。図１は、身障者用爪研ぎの実施例１を親指に装着した状態を示す正面図である。図２は、実施例１の側面図である。図３は、実施例１の底面図である。１は  紙やすり、２は  台部、３は  面ファスナー、４は  親指先露出窓、５は開口部、６は  開口部である。
【００１１】
実施例１は、図１〜３に基づいて説明すれば、紙やすり１を表面に設けた台部２と、親指に装着する台部２に設けた穴と、この穴の上側開口部５に設けた面ファスナー３とを備えている。爪研ぎを自由側の親指に装着する場合には、補助者に手伝ってもらい自由側の親指を台部２の穴の中に差し入れて、親指を台部２の先端に設けた親指露出窓４より出して、面ファスナーを締めて装着する。爪研ぎを装着した親指で、不自由側の全ての指の爪を研磨することができる。
【００１２】
台部２は、表面を滑らかにして紙やすり１を表面に設けて、爪を研ぎやすくするためにウレタン樹脂（ＥＶＡ）を材質として用いる。紙やすり１を貼り付けた台部２の表面は、紙やすりに爪を当てて爪を研磨するためにやや硬度を有するものが望ましいと考えられる。
【００１３】
台部の開口部５の端部に設けた面ファスナー３は、爪研ぎを親指に装着して脱落させないようにするためのものであるから、その手段として例えば面ファスナー３としてマジックテープ（登録商標）を用いる。又別の方法としてホック、鉤を用いてもよい。
【００１４】
実施例１に示した身障者用爪研ぎにより、装着した自由側の親指で、不自由側の全ての指を研磨する効果がある。
【実施例２】
【００１５】
実施例２は、不自由側の手の手首に装着して自由側の全ての指を研磨するために開発された身障者用爪研ぎである。図４は、身障者用爪研ぎの実施例２の底面図であり、図５は実施例２を不自由側の手の手首に装着した状態を示す斜視図である。符号１〜４は、実施例１に付けた符号と同じである。
図４，５に基づいて説明すると、手首に装着する台部２の表面に紙やすり１を設け、台部２の開口部６は台部に設けた面ファスナー３例えばマジックテープ（登録商標）で手首に装着することが容易になるように作られている。紙やすりを設けた台部の材質は、紙やすりで爪を研ぐためにやや固めのものが好ましい材質である。このため台部は、実施例１の台部に用いた材質と同様にウレタン樹脂（ＥＶＡ）を用いて作られる。
【００１６】
実施例２に示した身障者用爪研ぎにより、不自由側の手首に爪研ぎを装着して、自由側の全ての指を研磨する効果がある。
【産業上の利用可能性】
【００１７】
本考案は、上記実施例１と２の組み合わせで連携して使用する身障者用爪研ぎである。実施例1と実施例２を連携して使用する場合では、実施例１を自由側の親指に装着して、更に実施例２を不自由側の手首から手の甲の範囲に装着する。実施例１を装着した親指で不自由側の全ての指の爪を研磨することができる。そして、実施利２を不自由側の手首に装着して自由側の全ての指の爪を研磨することができる。病院、老人ホーム、自宅などで使用されることによって、半身麻痺している身障者の手指の機能回復にも効果がある。
【図面の簡単な説明】
【００１８】
【図１】身障者用爪研ぎの実施方法を示した実施例１を親指に装着した状態を示す正面図である。（実施例１）
【図２】身障者用爪研ぎの実施方法を示した実施例１の側面図である。（実施例１）
【図３】身障者用爪研ぎの実施方法を示した実施例１の底面図である。（実施例１）
【図４】身障者用爪研ぎの実施方法を示した実施例２の底面図である。（実施例２）
【図５】身障者用爪研ぎの実施方法を示した実施例２を手首に装着した状態を示す斜視図である。（実施例２）
【符号の説明】
【００１９】
１    紙やすり
２    台部
３    面ファスナー（例登録商標マジックテープ）
４    親指先露出窓
５、６    開口部    
【図１】
0003127020.tif 000003
【図２】
0003127020.tif 000004
【図３】
0003127020.tif 000005
【図４】
0003127020.tif 000006
【図５】
0003127020.tif 000007